(57)【要約】【課題】意匠性が低下することを抑制可能な照明装置を提供する。【解決手段】照明装置１０は、両端に一対の光入射面２１Ａ，２１Ｂを有する導光部材２０と、光入射面２１Ａ，２１Ｂに対向して配されるＬＥＤ３０Ａ，３０Ｂと、光入射面２１Ａ，２１ＢをＬＥＤ３０Ａ，３０Ｂに対して位置決めするとともに、導光部材２０を保持する保持部材４０と、を備え、保持部材４０は、導光部材２０を幅方向について挟持するとともに、導光部材２０を長手方向ついて直線状に保持する直線状保持部５１Ａ，５１Ｂ，５１Ｃと、導光部材２０を幅方向について挟持するとともに、導光部材２０を長手方向ついて曲線状に保持する曲線状保持部５２Ａ，５２Ｂと、を有しており、曲線状保持部５２Ａ，５２Ｂは、導光部材２０の幅方向について、曲線状をなす導光部材２０の外周側の面２７から外方に広がる形で、直線状保持部５１Ａ，５１Ｂより幅広な幅広部５３Ａ，５３Ｂを有する。【選択図】図３
2015220054.tif 000002
【特許請求の範囲】
【請求項１】
可撓性を有する長尺状の導光部材であって、その長手方向における両端に一対の光入射面を有する導光部材と、
前記一対の光入射面の各々に対向してそれぞれ配される一対の光源と、
対向して配される前記光源と前記光入射面の並び方向について前記光入射面を前記光源に対して位置決めするとともに、前記導光部材を保持する保持部材と、を備え、
前記保持部材は、
前記導光部材をその幅方向について挟持するとともに、前記導光部材をその長手方向について直線状に保持する直線状保持部と、
前記導光部材をその幅方向について挟持するとともに、前記導光部材をその長手方向について曲線状に保持する曲線状保持部と、を有し、
前記曲線状保持部は、前記導光部材の幅方向について、曲線状をなす前記導光部材の外周側の面から外方に広がる形で、前記直線状保持部より幅広な幅広部を有することを特徴とする照明装置。
【請求項２】
前記保持部材は、前記導光部材の前記外周側の面に対向する部分が透光性を有する透光部とされている請求項１に記載の照明装置。
【請求項３】
前記保持部材は、前記導光部材の前記外周側の面に対向する部分が光拡散性を有する光拡散部とされている請求項１または請求項２に記載の照明装置。
【発明の詳細な説明】
【技術分野】
【０００１】
本発明は、照明装置に関する。
【背景技術】
【０００２】
従来、照明装置として、下記特許文献１に記載のものが知られている。特許文献１に記載の照明装置は、円柱形状の導光部材と、該導光部材の長手方向の一方の端部に設けられた一方の光源と、前記導光部材の長手方向の他方の端部に設けられた他方の光源と、を備えている。
【先行技術文献】
【特許文献】
【０００３】
【特許文献１】特開２０１４−８８０３号公報
【発明の概要】
【発明が解決しようとする課題】
【０００４】
上記構成のような照明装置において、導光部材と光源を組み付ける際に、導光部材の長さ寸法における誤差に起因して、導光部材の一方の端部と一方の光源との間の距離と、導光部材の他方の端部と他方の光源との間の距離とに差が生じることがある。このような場合には、導光部材の両端に入射する光量に差が生じることにより、導光部材の両端において明るさが異なり、照明装置の意匠性が低下することが懸念される。
【０００５】
本発明は上記のような事情に基づいて完成されたものであって、意匠性が低下することを抑制可能な照明装置を提供することを目的とする。
【課題を解決するための手段】
【０００６】
上記課題を解決するために、本発明は、可撓性を有する長尺状の導光部材であって、その長手方向における両端に一対の光入射面を有する導光部材と、前記一対の光入射面の各々に対向してそれぞれ配される一対の光源と、対向して配される前記光源と前記光入射面の並び方向について前記光入射面を前記光源に対して位置決めするとともに、前記導光部材を保持する保持部材と、を備え、前記保持部材は、前記導光部材をその幅方向について挟持するとともに、前記導光部材をその長手方向について直線状に保持する直線状保持部と、前記導光部材をその幅方向について挟持するとともに、前記導光部材をその長手方向について曲線状に保持する曲線状保持部と、を有しており、前記曲線状保持部は、前記導光部材の幅方向について、曲線状をなす前記導光部材の外周側の面から外方に広がる形で、前記直線状保持部より幅広な幅広部を有することに特徴を有する。
【０００７】
前記照明装置によれば、導光部材の長さ寸法に誤差がある場合であっても、幅広部において導光部材を外方に逃がすことにより当該誤差を吸収することができ、確実に、光入射面を光源に対して位置決めすることができる。このため、一対の光源から導光部材の両端に入射する光量に差が生じることを抑制することができ、照明装置の意匠性が低下することを抑制することができる。
【０００８】
また、前記保持部材は、前記導光部材の前記外周側の面に対向する部分が透光性を有する透光部とされていてもよい。このような構成によれば、導光部材が保持部材における透光部に近付く態様で導光部材の長さ寸法における誤差を吸収することができ、誤差吸収に起因して透光部から出射される光量が低下する虞がない。
【０００９】
また、前記保持部材は、前記導光部材の前記外周側の面に対向する部分が光拡散性を有する光拡散部とされていてもよい。このような構成によれば、幅広部を設けたことにより、導光部材から曲線状保持部に入射する光量が直線状保持部に入射する光量に比べて低下する場合であっても、曲線状保持部が直線状保持部に比べて暗く視認される事態の発生を抑制することができる。
【発明の効果】
【００１０】
本発明によれば、意匠性が低下することを抑制可能な照明装置を提供することができる。
【図面の簡単な説明】
【００１１】
【図１】実施形態１に係る照明装置を意匠面側から示す斜視図
【図２】保持部材を意匠面側から示す斜視図
【図３】保持部材と導光部材を裏面側から示す分解斜視図
【図４】保持部材を示す裏面図
【図５】直線状保持部における保持部材と導光体を示す断面図（図４のＶ−Ｖ線に対応）
【図６】曲線状保持部における保持部材と導光体を示す断面図（図４のＶＩ−ＶＩ線に対応）
【図７】位置決め部を示す断面図（図４のＶＩＩ−ＶＩＩ線に対応）
【図８】保持部材による導光部材の保持態様を模式的示す一部断面図
【図９】実施形態２に係る保持部材を意匠面側から示す斜視図
【図１０】カバー部材及びレンズ部材並びに導光部材を意匠面側から示す分解斜視図
【図１１】保持部材（カバー部材及びレンズ部材）を裏面側から示す斜視図
【図１２】直線状保持部における保持部材と導光部材を示す断面図
【図１３】曲線状保持部における保持部材と導光部材を示す断面図
【発明を実施するための形態】
【００１２】
本発明の実施形態１を図１ないし図８によって説明する。本実施形態の照明装置１０は、図１に示すように、例えば、車両用のオーバーヘッドコンソールとして用いられるもので、車両の天井内装材に取り付けられる。なお、図１における左上側を車室内に臨む意匠面側とし、右下側を裏面側として説明する。
【００１３】
照明装置１０は、図２及び図３に示すように、長尺状の導光部材２０と、導光部材２０の両端に配されるＬＥＤ３０Ａ，３０Ｂ（光源）と、導光部材２０を保持する保持部材４０と、を備えている。また、照明装置１０は、図１に示すように、ライト等を操作するスイッチ１１と、小物等を収納可能な収納部１２と、スイッチ１１及び収納部１２が配設されるとともに保持部材４０が取り付けられる本体部１３と、を備えている。
【００１４】
本体部１３には、図１に示すように、保持部材４０の一部（導光部材２０の側面）を露出する間隙部１４が設けられている。このような構成により、照明装置１０は、ＬＥＤ３０Ａ，３０Ｂからの光が、図１において一点破線で示す保持部材４０の外周に沿って、間隙部１４からＵ字状に照射されるものとされている。
【００１５】
導光部材２０は、導光材料によって形成されており、柱状（棒状）でかつ断面が略円形に形成されている。ここでいう「導光材料」とは、例えば、アクリル系樹脂などの光を透過させる材料のことである。導光材料としては、例えば、特開２００５−３０６２３３号や特開平６−７５１２０号に開示された公知の導光材料を使用することが可能である。導光部材２０は、その製造上の誤差により、長さ寸法がばらつくことがある。導光部材の長さ寸法が所定の長さを下回る場合には、所定の位置に配されたＬＥＤ（光源）と光入射面との間の距離が長くなり、問題となる。そこで、導光部材２０の長さ寸法は、所定の長さに対して、予め余長を有して設定されている。
【００１６】
導光部材２０は、図３に示すように、その長手方向における両端に一対の光入射面２１Ａ，２１Ｂを有するものとされている。光入射面２１Ａ，２１Ｂは、それぞれ導光部材２０の端面とされており、略円形をなす。一方、導光部材２０は、その側面に、内部に導入された光を外部に向かって放出させるための処理がなされている。例えば、導光部材２０の側面にはフッ素系樹脂を被覆するなどの処理がなされている。
【００１７】
導光部材２０は、可撓性を有し、図２及び図３に示すように、その長手方向に略Ｕ字状に曲げられている。詳しくは、導光部材２０は、長手方向について、両端部が直線状をなす端側直線部２３Ａ，２３Ｂとされ、中央部が直線状をなす中央側直線部２４Ｃとされる一方、中央側直線部２４Ｃと端側直線部２３Ａ，２３Ｂとの間がそれぞれ曲線状をなす曲線部２６Ａ，２６Ｂとされている。さらに、本実施形態では、導光部材２０は、弾性変形可能とされており、長手方向に曲げ変形されることにより、伸びた状態に弾性復帰しようとする力を生じている。なお、導光部材２０は、中央を軸として線対称に構成されており、後述する説明においては、一方の端側直線部２３Ａ及び曲線部２６Ａについて説明し、他方の端側直線部２３Ｂ及び曲線部２６Ｂについては説明を省略する。
【００１８】
ＬＥＤ３０Ａ，３０Ｂは、図３に示すように、一対の光入射面２１Ａ，２１Ｂの各々に対向してそれぞれ配されている。詳しくは、ＬＥＤ３０Ａ，３０Ｂは、ＬＥＤ基板３１，３１（図８参照）にそれぞれ実装されており、ＬＥＤ基板３１，３１を保持部材４０に取り付けることにより、光入射面２１Ａ，２１Ｂに対して所定の間隔を有して配されている。
【００１９】
保持部材４０は、図４から図６に示すように、導光部材２０およびＬＥＤ３０Ａ，３０Ｂを意匠面側から覆う板状のカバー部４１と、カバー部４１の外周から裏面側に立ち上がるとともに導光部材２０から出射された光を透過するレンズ部４４と、カバー部４１の裏面においてレンズ部４４と並行して延設されたリブ４５と、を備えている。また、保持部材４０には、導光部材２０の光入射面２１Ａ，２１ＢをそれぞれＬＥＤ３０Ａ，３０Ｂに対して位置決めする位置決め部４６Ａ，４６Ｂと、ＬＥＤ３０Ａ，３０ＢがＬＥＤ基板３１，３１を介して取り付けられる光源配置部４８，４８と、複数の取付ボス４９が設けられている。
【００２０】
保持部材４０は、樹脂製とされており、レンズ部４４をインサート成形することで、一体的に形成されている。保持部材４０は、レンズ部４４以外の部分が、光を透過しない非透光部とされている。
【００２１】
レンズ部４４は、透光性を有する透光部４４とされ、例えば、アクリル樹脂などの樹脂製とされている。また、レンズ部４４は、光拡散性を有する光拡散部４４とされ、例えば、すりガラス状に粗面処理が施されている。なお、光を拡散する構成としては、粗面処理に限定されず、シボ模様や梨地模様が形成された凹凸部や、光拡散フィルム、レンズ部の内部に光反射性を有する材料（例えば、白色ビーズや粉末状のアルミなど）を分散配合する構成であってもよい。
【００２２】
保持部材４０には、図３に示すように、裏面側（意匠面とは反対側）に開口する溝部５０が形成されている。具体的には、溝部５０は、図５及び図６に示すように、カバー部４１の外周縁４２と、外周縁４２の外側に配されるレンズ部４４と、外周縁４２の内側に配されるリブ４５とで構成されている。溝部５０は、カバー部４１の外周縁４２に沿ってＵ字状に延設されており、その延設方向と導光部材２０の長手方向を一致させて、開口内に導光部材２０を収容する導光部材収容部として機能する。
【００２３】
溝部５０は、レンズ部４４とリブ４５とで、導光部材２０をその幅方向について挟持する構成とされている。なお、「挟持」とは、「挟んだ状態で支持すること」であり、本明細書においては、レンズ部又は／及びリブが導光部材に当接して、当該導光部材を支持する態様、並びに、レンズ部又は／及びリブが導光部材に当接していないものの、導光部材の側方に配置されることにより導光部材が変位、変形した際に当接可能とされ、当該導光部材を支持する態様も含むものとする。
【００２４】
溝部５０は、図４に示すように、導光部材２０をその長手方向について直線状に保持する直線状保持部５１Ａ，５１Ｂ，５１Ｃと、導光部材２０をその長手方向について曲線状に保持する曲線状保持部５２Ａ，５２Ｂと、からなる。直線状保持部５１Ａ，５１Ｂ，５１Ｃの各々は、導光部材２０の端側直線部２３Ａ，２３Ｂ及び中央側直線部２４Ｃをそれぞれ保持するとともに、曲線状保持部５２Ａ，Ｂの各々は、導光部材２０の曲線部２６Ａ，２６Ｂをそれぞれ保持するものとされている。
【００２５】
曲線状保持部５２Ａ，５２Ｂは、図５及び図６に示すように、導光部材２０の幅方向について、直線状保持部５１Ａ，５１Ｂよりも幅広な幅広部５３Ａ，５３Ｂをそれぞれ有している。具体的には、直線状保持部５１Ａ，５１Ｂ，５１Ｃの幅寸法は、導光部材２０の径寸法（幅寸法）と略同じとされる一方、曲線状保持部５２Ａ，５２Ｂの幅広部５３Ａ，５３Ｂの幅寸法は、導光部材２０の径寸法（幅寸法）より大きいものとされている。なお、溝部５０は、中央を軸として線対称に構成されており、後述する説明においては、一方の直線状保持部５１Ａ及び曲線状保持部５２Ａ並びに幅広部５３Ａについて説明し、他方の直線状保持部５１Ｂ及び曲線状保持部５２Ｂ並びに幅広部５３Ｂについては説明を省略する。
【００２６】
幅広部５３Ａは、図６に示すように、導光部材２０を保持部材４０に組み付けた状態で、曲線部２６Ａの外周側の面２７から外方に広がる形で形成されている。このような構成により、幅広部５３Ａは、レンズ部４４と外周側の面２７との間に隙間５３Ａ−１を有する。また、本実施形態では、幅広部５３Ａは、曲線部２６Ａの内周側の面２８とリブ４５との間に隙間５３Ａ−２を有する。なお、上述した所定の長さの導光部材２０を保持部材４０に組み付けた場合には、外側の隙間５３Ａ−１は内側の隙間５３Ａ−２に対して大きいものとされている。
【００２７】
幅広部５３Ａでは、図４に示すように、レンズ部４４とリブ４５との距離が曲線状保持部５２Ａの中央で最大とされており、直線状保持部５１Ａ及び直線状保持部５１Ｃに近付くにつれて、レンズ部４４とリブ４５との距離が漸次小さくなる構成とされている。言い換えれば、幅広部５３Ａでは、上述した所定の長さの導光部材２０を保持部材４０に組み付けた状態で、導光部材２０の外側に導光部材２０の余長を逃がす（開放する）三日月状の逃がし空間（開放空間）が形成されている（図８参照）。このような構成により、曲線状保持部５２Ａと直線状保持部５１Ａ，５１Ｃとで明るさが漸次変化するものとされており、幅広部５３Ａを設けたことに起因して、曲線状保持部５２Ａが暗部と視認され、照明装置１０の意匠性が低下することを抑制可能とされている。
【００２８】
位置決め部４６Ａ，４６Ｂは、図７に示すように、カバー部４１の裏面に立設されるリブ状をなし、板面がそれぞれ光入射面２１Ａ，２１Ｂと当接するものとされている。位置決め部４６Ａ，００Ｂには、その板面をＵ字状に切り欠いた切り欠き部４７が設けられ、当該切り欠き部４７を通過して、ＬＥＤ３０Ａ，３０Ｂからの光が光入射面２１Ａ，２１Ｂに進入可能な構成とされている。
【００２９】
続いて、導光部材２０を保持部材４０に対して組み付ける態様、及び本実施形態の作用について、図８を用いて説明する。
まず、導光部材２０の光入射面２１Ａを位置決め部４６Ａに対して当接する。すると、保持部材４０における光源配置部４８に配されたＬＥＤ３０Ａに対して、光入射面２１Ａが位置決めされる。具体的には、光入射面２１Ａの周縁部が切り欠き部４７の縁部に当たることにより、光入射面２１ＡがＬＥＤ３０Ａに近付く方向に変位することが規制される。なお、図８に示す位置決め部４６Ａと光源配置部４８の態様については、光入射面２１ＡとＬＥＤ３０Ａの位置関係を明確にするために模式的に示している。
【００３０】
次に、導光部材２０の端側直線部２３Ａを、溝部５０における直線状保持部５１Ａに収容する。このとき、導光部材２０が可撓性を有するとともに、直線状保持部５１Ａの幅寸法が導光部材２０の径寸法と略同じとされているので、レンズ部４４とリブ４５が導光部材２０の側面にそれぞれ当接し、端側直線部２３が溝部５０における直線状保持部５１Ａの形状に沿って直線状に保持される。また、端側直線部２３Ａは、レンズ部４４とリブ４５に挟持され、その幅方向への移動が規制される。
【００３１】
さらに、導光部材２０の曲線部２６Ａを、上述した導光部材２０の余長を吸収する形で、溝部５０における曲線状保持部５２Ａに収容する。具体的には、上述の所定の長さの導光部材を溝部５０に組み付けた場合に比べて、曲線部２６Ａがレンズ部４４に対して近付く態様（曲線状保持部５２Ａの隙間５３Ａ−１が小さくなる態様）で収容する。このとき、導光部材２０の余長が長くなる程、曲線部２６Ａは幅広部５３Ａにおいて外方に逃げた形となる。そして、曲線部２６Ａは、導光部材２０の余長に応じた形状に曲げられて、曲線状保持部５２Ａにおいて曲線状に保持される。また、曲線部２６Ａは、レンズ部４４とリブ４５に当接しないものの側方から支持される形で挟持され、その幅方向への移動が規制される。
【００３２】
同様にして、導光部材２０の光入射面２１Ｂを保持部材４０の位置決め部４６Ｂに対して当接するとともに、端側直線部２３Ｂ、及び曲線部２６Ｂをそれぞれ溝部５０の直線状保持部５１Ｂ及び曲線状保持部５２Ｂに対して収容する。すると、ＬＥＤ３０Ａと光入射面２１Ａとの距離と、ＬＥＤ３０Ｂと光入射面２１Ｂとの距離が一致した状態となる。
【００３３】
そして、導光部材２０の中央側直線部２４Ｃを溝部５０における直線状保持部５１Ｃに対して収容する。この際、Ｕ字状に曲げられた導光部材２０の弾発力により、導光部材２０の端側直線部２３Ａ，２３Ｂがレンズ部４４に対して押し当てられ、導光部材２０が溝部５０から抜け止めされた状態となる。このようにして、導光部材２０の保持部材４０に対する組み付けが完了する。
【００３４】
このようにして組み付けられた照明装置１０を点灯すると、ＬＥＤ３０Ａ，３０Ｂからの光が、それぞれ光入射面２１Ａ，２１Ｂに入射する。このとき、ＬＥＤ３０Ａと光入射面２１Ａとの距離と、ＬＥＤ３０Ｂと光入射面２１Ｂとの距離が一致するため、導光部材２０の両端から内部に導入される光量が同等となり、導光部材２０の両側における明るさが均一となる。そして、光入射面２１Ａ，２１Ｂに入射した光は、導光部材２０の内部を進むとともに、導光部材２０の側面からほぼ均一に出射される。
【００３５】
導光部材２０から出射された光は、レンズ部４４に入射する。このとき、導光部材２０の端側直線部２３Ａ及び中央側直線部２４Ｃはレンズ部４４に当接する一方、曲線部２６Ａはレンズ部４４に対して隙間５３Ａ−１を有して配されているため、レンズ部４４に入射する光量は、直線状保持部５１Ａ，５１Ｃに対して曲線状保持部５２Ａの方がやや少なくなる。しかしながら、直線状保持部５１Ａ，５１Ｃと、曲線状保持部５２Ａとでは、乗員からの視線に対する角度がレンズ部４４の曲り形状に応じて変化するため、仮に直線状のレンズ部において入射する光量が少ない部分がある場合に比べて、曲線状保持部５２Ａが乗員から暗部として視認されにくい。
【００３６】
レンズ部４４に入射した光は、レンズ部４４を透過した後、本体部１３の間隙部１４を通って車室内に出射される。このとき、レンズ部４４を透過する光は、レンズ部４４の光拡散部で拡散されて均一化される。このような作用により、照明装置１０では、間隙部１４から照射される光がその全長に亘ってほぼ均一な明るさに視認され、審美性に優れた意匠が実現される。
【００３７】
続いて、本実施形態の効果について説明する。
本実施形態の照明装置１０によれば、導光部材２０の長さ寸法に誤差がある（余長を有する）場合であっても、幅広部５３Ａ，５３Ｂにおいて導光部材２０を外方に逃がすことにより誤差（余長）を吸収することができ、確実に、光入射面２１Ａ，２１ＢをそれぞれＬＥＤ３０Ａ，３０Ｂに対して位置決めすることができる。このため、一対のＬＥＤ３０Ａ，３０Ｂから導光部材２０の両端に入射する光量がばらつくことを抑制することができ、照明装置１０の意匠性が低下することを抑制することができる。
【００３８】
また、本実施形態の照明装置１０では、保持部材４０は、導光部材２０の外周側の面２７に対向する部分が透光性を有する透光部とされている。このため、導光部材２０が保持部材４０における透光部に近付く態様で導光部材２０の長さ寸法における誤差（余長）を吸収することができ、誤差吸収（余長吸収）に伴い透光部から出射される光量が低下する虞がない。
【００３９】
また、本実施形態の照明装置１０では、保持部材４０は、導光部材２０の外周側の面２７に対向する部分が光拡散性を有する光拡散部とされている。このため、幅広部５３Ａを設けたことにより、導光部材２０からレンズ部４４における曲線状保持部５２Ａ，５２Ｂに入射する光量が直線状保持部５１Ａ，５１Ｂにおけるに入射する光量に比べて低下する場合であっても、曲線状保持部５２Ａ，５２Ｂが直線状保持部５１Ａ，５１Ｂに比べて暗く視認される事態の発生を抑制することができる。
【００４０】
また、本実施形態の照明装置１０では、保持部材４０が、レンズ部４４を備えて一体的に形成されている。このため、例えば、別体のレンズ部を組み付けて保持部材を形成する場合に比べて、レンズ部と他の部材との組み付け誤差に起因して、意匠性が低下する事態の発生を抑制することができる。
【００４１】
＜実施形態２＞
次に、本発明の実施形態２を図９ないし図１３によって説明する。本実施形態では、照明装置１１０は、図９及び図１１に示すように、保持部材１４０が、レンズ部材１４３と、当該レンズ部材１４３とは別体とされるカバー部材１４１とを組み付けることにより構成されている。なお、本実施形態では、上記実施形態と同じ名称の部位には、同一の符号を用い、構造、作用及び効果について重複する説明は省略する。
【００４２】
保持部材１４０は、図１０に示すように、導光部材２０およびＬＥＤ３０Ａ，３０Ｂを意匠面側から覆う板状のカバー部材１４１と、導光部材２０を収容する溝部１５０を有するとともに導光部材２０から出射された光を透過するレンズ部材１４３と、を備えている。また、カバー部材１４１には、ＬＥＤ３０Ａ，３０Ｂが取り付けられる光源配置部４８，４８と、複数の取付ボス４９が設けられている。保持部材１４０は、非透光性のカバー部材１４１に対して透光性のレンズ部材１４３を取り付けることにより構成されている。
【００４３】
レンズ部材１４３は、透光性を有する透光部１４３とされ、例えば、アクリル樹脂などの樹脂製とされている。また、レンズ部材１４３は、後述する外側壁部１４４が、光拡散性を有する光拡散部１４４とされ、例えば、すりガラス状に粗面処理が施されている。なお、光を拡散する構成としては、粗面処理に限定されず、シボ模様や梨地模様が形成された凹凸部や、光拡散フィルム、レンズ部材の内部に光反射性を有する材料（例えば、白色ビーズや粉末状のアルミなど）を分散配合する構成であってもよい。
【００４４】
レンズ部材１４３には、図１０に示すように、カバー部材１４１の外周縁の形状に応じてＵ字状に延設された溝部１５０と、溝部１５０の両端において、導光部材２０の光入射面２１Ａ，２１ＢをそれぞれＬＥＤ３０Ａ，３０Ｂに対して位置決めする位置決め部１４６Ａ，１４６Ｂが形成されている。溝部１５０は、その延設方向と導光部材２０の長手方向を一致させて、開口内に導光部材２０を収容する導光部材収容部として機能する。
【００４５】
溝部１５０は、Ｕ字状に延設された平板状の底壁部１４２と、Ｕ字状に曲がる底壁部１４２の外周側から立ち上がる外側壁部１４４と、Ｕ字状に曲がる底壁部１４２の内周側から立ち上がる内側壁部１４５とで構成されている。なお、実施形態１の溝部５０は、照明装置１０が車両に取り付けられた状態で意匠面とは反対側に開口する構成とされるが、本実施形態２の溝部１５０は、照明装置が車両に取り付けられた状態で意匠面側に開口する構成とされ、導光部材２０をカバー部材１４１と底壁部１４２とで挟持する構成とされている。
【００４６】
溝部１５０は、図１２及び図１３に示すように、外側壁部１４４と内側壁部１４５とで、導光部材２０をその幅方向について挟持する構成とされている。なお、本実施形態２の溝部１５０においては、外側壁部１４４が実施形態１のレンズ部４４に相当し、内側壁部１４５が実施形態１のリブ４５に相当しており、共通する構成、作用、及び効果等については、説明を省略する。
【００４７】
位置決め部１４６Ａ，１４６Ｂは、底壁部１４２、外側壁部１４４、及び内側壁部１４５に連なる壁状とされており、溝部１５０側を向く面がそれぞれ光入射面２１Ａ，２１Ｂと当接するものとされている。位置決め部１４６Ａ，１４６Ｂには、その中央部をＵ字状に切り欠いた切り欠き部１４７が設けられ、当該切り欠き部１４７を通過して、ＬＥＤ３０Ａ，３０Ｂからの光が光入射面２１Ａ，２１Ｂに進入可能な構成とされている。
【００４８】
本実施形態の照明装置１１０では、導光部材２０が、カバー部材１４１と底壁部１４２とで挟持されるから、導光部材２０が溝部１５０から抜ける方向に変位する虞がない。
【００４９】
本実施形態の照明装置１１０では、保持部材１４０が、カバー部材１４１とこれと別体のレンズ部材１４３とで構成されているため、例えば、共通のカバー部材に対して多種のレンズ部材を予め成形しておくことにより、保持部材に係る部材を成形した後に、レンズ部分の設計を変更することが容易である。
【００５０】
＜他の実施形態＞
本発明は上記記述及び図面によって説明した実施形態に限定されるものではなく、例えば次のような実施形態も本発明の技術的範囲に含まれる。
（１）上記実施形態では、照明装置１０，１１０をオーバーヘッドコンソールとして用いる構成を例示したが、照明装置の設置個所は天井に限定されず適宜変更可能である。例えば、照明装置は、車両のドアトリム、ラゲージサイドトリム、インストルメントパネルなどに設けられていてもよい。
【００５１】
（２）上記実施形態では、導光部材２０がＵ字状のものを例示したが、これに限定されない。導光部材は、直線状の部分と、曲線状の部分を有していればよく、例えば、導光部材がＳ字状や、Ｌ字状、半長円状のものであってもよい。
【００５２】
（３）上記実施形態１では、導光部材２０は、弾性変形可能とされ、導光部材２０の弾発力により溝部５０から抜け止めされる構成を例示したが、これに限定されない。導光部材は、幅広部において余長吸収可能に変形可能であればよく、溝部からの抜け止めに係る構成としては、例えば、溝部の開口内に向けて突出する突起を別に設けてもよい。
【００５３】
（４）上記実施形態１では、保持部材４０は、透光性を有するレンズ部４４が非透光性の樹脂にインサート成形されたものを例示したが、これに限定されない。例えば、保持部材は、全体を透光性の樹脂で成形したうえで、所定の領域（レンズ部に該当する領域）以外に不透明なフィルムを貼着することにより形成してもよい。
【符号の説明】
【００５４】
１０，１１０…照明装置、２０…導光部材、２１Ａ，２１Ｂ…光入射面、２７…外周側の面、３０Ａ，３０Ｂ…ＬＥＤ（光源）、４０，１４０…保持部材、４４…レンズ部（透光部、光拡散部）、５１Ａ，５１Ｂ，５１Ｃ…直線状保持部、５２Ａ，５２Ｂ…曲線状保持部、５３Ａ，５３Ｂ…幅広部、１４３…レンズ部材（透光部）、１４４…外側壁部（光拡散部）
【図１】
2015220054.tif 000003
【図２】
2015220054.tif 000004
【図３】
2015220054.tif 000005
【図４】
2015220054.tif 000006
【図５】
2015220054.tif 000007
【図６】
2015220054.tif 000008
【図７】
2015220054.tif 000009
【図８】
2015220054.tif 000010
【図９】
2015220054.tif 000011
【図１０】
2015220054.tif 000012
【図１１】
2015220054.tif 000013
【図１２】
2015220054.tif 000014
【図１３】
2015220054.tif 000015